(57)【要約】【課題】撮像された画像データをユーザが希望する記録媒体に簡単に転送したい。【解決手段】第１記録媒体１９０は、撮像部１１０により撮像された画像データを記録する。制御部１７０は、第２記録媒体が接続可能または装着可能な外部装置２００に第１記録媒体１９０に記録されている画像データを送出するよう制御する。制御部１７０は、外部装置２００に第２記録媒体が接続または装着された状態で、外部装置２００に本撮像装置１００が接続もしくは装着される第１事象、または外部装置２００に本撮像装置１００が接続もしくは装着された状態で、外部装置２００に第２記録媒体が接続もしくは装着される第２事象の発生に起因して、第１記録媒体１９０に記録されている画像データを第２記録媒体に転送するよう制御する。【選択図】図２
2010062858.tif 000002
【特許請求の範囲】
【請求項１】
撮像部と、
前記撮像部により撮像された画像データを記録するための第１記録媒体と、
第２記録媒体が接続可能または装着可能な外部装置に前記第１記録媒体に記録されている画像データを送出するよう制御する制御部と、を備え、
前記制御部は、前記外部装置に前記第２記録媒体が接続または装着された状態で、前記外部装置に本撮像装置が接続もしくは装着される第１事象、または前記外部装置に本撮像装置が接続もしくは装着された状態で、前記外部装置に前記第２記録媒体が接続もしくは装着される第２事象の発生に起因して、前記第１記録媒体に記録されている画像データを前記第２記録媒体に転送するよう制御することを特徴とする撮像装置。
【請求項２】
前記制御部は、
前記第２記録媒体の識別情報を保持する識別情報保持部と、
前記外部装置に本撮像装置および前記第２記録媒体の両方が接続または装着された状態で、前記第２記録媒体の識別情報を取得する識別情報取得部と、
前記識別情報保持部に保持される識別情報と、前記第１事象または前記第２事象の発生に起因して前記識別情報取得部により取得される識別情報とを比較する識別情報比較部と、
前記識別情報比較部による比較の結果、前記識別情報が一致したとき前記第１記録媒体に記録されている画像データを前記第２記録媒体に転送するよう制御し、一致しないとき前記第２記録媒体に転送しないよう制御する転送制御部と、を含むことを特徴とする請求項１に記載の撮像装置。
【請求項３】
前記制御部は、前記外部装置に前記第２記録媒体が接続もしくは装着されていない状態で、前記外部装置に本撮像装置が接続もしくは装着される第３事象の発生に起因して、前記第１記録媒体に記録されている画像データを前記外部装置に内蔵される第３記録媒体に転送するよう制御することを特徴とする請求項１に記載の撮像装置。
【請求項４】
前記制御部は、
前記第２記録媒体の識別情報を保持する識別情報保持部と、
前記外部装置に本撮像装置および前記第２記録媒体が接続または装着された状態で、前記第２記録媒体の識別情報を取得する識別情報取得部と、
前記識別情報保持部に保持される識別情報と、前記第１事象または前記第２事象の発生に起因して前記識別情報取得部により取得される識別情報とを比較する識別情報比較部と、
前記識別情報比較部による比較の結果、前記識別情報が一致したとき前記第１記録媒体に記録されている画像データを前記第２記録媒体に転送するよう制御し、一致しないとき前記第３記録媒体に転送するよう制御する転送制御部と、を含むことを特徴とする請求項３に記載の撮像装置。
【請求項５】
前記転送制御部は、前記第３記録媒体に前記第１記録媒体から転送された画像データが存在する状態で、前記識別情報比較部による比較の結果、前記識別情報が一致したとき前記第３記録媒体に記録されている前記画像データを前記第２記録媒体に転送するよう制御し、一致しないとき前記第２記録媒体に転送しないよう制御することを特徴とする請求項４に記載の撮像装置。
【請求項６】
前記制御部は、前記第１記録媒体に記録されている画像データが前記第２記録媒体または前記外部装置に内蔵されている第３記録媒体に転送された後、前記第１記録媒体に記録されている画像データを消去することを特徴とする請求項１から５のいずれかに記載の撮像装置。
【請求項７】
前記識別情報取得部は、前記外部装置に本撮像装置が接続もしくは装着された状態で、前記外部装置に特定の第２記録媒体が最初に接続もしくは装着されることを契機として、前記第２記録媒体の識別情報を取得して、前記識別情報保持部に登録することを特徴とする請求項２または４に記載の撮像装置。
【請求項８】
充電池をさらに備え、
前記充電池は、前記外部装置に本撮像装置が接続または装着された状態で、前記外部装置から電源供給を受けることにより充電されることを特徴とする請求項１から７のいずれかに記載の撮像装置。
【発明の詳細な説明】
【技術分野】
【０００１】
本発明は、撮像した画像データを外部装置に転送する撮像装置に関する。
【背景技術】
【０００２】
デジタルスチルカメラおよびデジタルムービーカメラ（以下、総称して単にデジタルカメラと表記する）が広く普及している。デジタルカメラのスペックは年々向上しており、フルハイビジョン（１９２０×１０８０）画質で動画を撮影できるものも実用化されている。デジタルカメラに装着されるメモリカードなどの記録媒体の容量も年々増大しているが、長時間の高画質な動画を記録するには不十分である。また、大容量の記録媒体は高価であり、大容量の記録媒体を装着していないユーザも多い。
【０００３】
そこで、撮影後にデジタルカメラとＰＣとをＵＳＢケーブルなどで接続し、デジタルカメラ内の記録媒体に記録されている画像データをその記録媒体からＰＣ内のハードディスクに転送し、その後、デジタルカメラ内の記録媒体からその画像データを消去する手法が一般に用いられる。これにより、デジタルカメラ内の記録媒体の空き容量を増やすことができ、その記録媒体内に別に撮像される画像データを記録するための容量を確保することができる。
【０００４】
特許文献１は、充電機能およびバックアップ機能を持つ待機ステーションに電子カメラを設置することにより、充電とデータのバックアップの両方を実行するシステムを開示する。
【特許文献１】特開平８−６９６８４号公報
【発明の開示】
【発明が解決しようとする課題】
【０００５】
上述した、デジタルカメラからＰＣへのデータ転送は、ユーザがＰＣを操作することにより実行されることが一般的であるが、この操作の煩雑さをなくすために、デジタルカメラとＰＣとが接続されると自動的に画像データをＰＣに転送する手法も考えられる。
【０００６】
ＰＣは家族や同一部署内などで共有して使用されることも多く、デジタルカメラで撮像された画像データをＰＣ内のハードディスクではなく自分専用の記録媒体に転送したいというニーズも存在する。
【０００７】
本発明はこうした状況に鑑みてなされたもので、その目的は、撮像された画像データをユーザが希望する記録媒体に簡単に転送することができる撮像装置を提供することにある。
【課題を解決するための手段】
【０００８】
本発明のある態様の撮像装置は、撮像部と、撮像部により撮像された画像データを記録するための第１記録媒体と、第２記録媒体が接続可能または装着可能な外部装置に第１記録媒体に記録されている画像データを送出するよう制御する制御部と、を備える。制御部は、外部装置に第２記録媒体が接続または装着された状態で、外部装置に本撮像装置が接続もしくは装着される第１事象、または外部装置に本撮像装置が接続もしくは装着された状態で、外部装置に第２記録媒体が接続もしくは装着される第２事象の発生に起因して、第１記録媒体に記録されている画像データを第２記録媒体に転送するよう制御する。
【０００９】
なお、以上の構成要素の任意の組み合わせ、本発明の表現を方法、装置、システムなどの間で変換したものもまた、本発明の態様として有効である。
【発明の効果】
【００１０】
本発明によれば、撮像装置により撮像された画像データをユーザが希望する記録媒体に簡単に転送することができる。
【発明を実施するための最良の形態】
【００１１】
図１は、実施の形態に係るデータ転送システム５００の構成を示す。データ転送システム５００は、撮像装置１００、外部装置２００および第２記録媒体３００を備える。外部装置２００にはクレードル装置、画像記録再生装置（ＨＤＤレコーダ、ＤＶＤレコーダ、ＤＶＤ＋ＨＤＤレコーダ、ブルーレイディスクレコーダ、ブルーレイディスク＋ＨＤＤレコーダ）、ＰＣなどを採用することができる。外部装置２００に撮像装置１００用の装着スロットがある場合、そのスロットに装着されることにより両者が電気的に接続されてもよいし、ＵＳＢケーブルやＨＤＭＩケーブルなどのケーブルにより両者が接続されてもよい。
【００１２】
第２記録媒体３００には着脱可能な可搬性のある記録媒体を採用することができる。たとえば、リムーバブルハードディスクドライブ（以下、リムーバブルＨＤＤと表記する）、ＤＶＤ、ブルーレイディスク、メモリカードを採用することができる。外部装置２００の第２記録媒体３００用の装着スロットに第２記録媒体３００が装着されることにより、外部装置２００は第２記録媒体３００へのデータの書き込み、および第２記録媒体３００からのデータの読み出しが可能である。もちろん、外部装置２００と第２記録媒体３００とが所定のケーブルにより接続されてもよい。
【００１３】
図２は、実施の形態に係る撮像装置１００の構成を示す。撮像装置１００は、撮像部１１０、音声入力部１２０、操作部１３０、表示部１４０、充電池１５０、外部Ｉ／Ｏ部１６０、制御部１７０、画像＆音声処理部１８０および第１記録媒体１９０を備える。
【００１４】
これらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１５】
撮像部１１０は、ＣＭＯＳ（Complementary Metal-Oxide Semiconductor）イメージセンサまたはＣＣＤ（Charge Coupled Devices）センサなどの撮像素子を含み、その撮像素子は入射光を電気信号に変換する。その電気信号は画像データとして画像＆音声処理部１８０に出力される。音声入力部１２０はマイクを含み、そのマイクは集音した音を電気信号に変換する。その電気信号は音声データとして画像＆音声処理部１８０に出力される。
【００１６】
操作部１３０は各種の操作ボタンを含み、ユーザからの指示を受け付ける。表示部１４０は撮像部１１０により撮像中の画像、各種のステータス情報、各種の設定画面などを表示する。
【００１７】
充電池１５０にはリチウムイオン電池などを採用することができる。充電池１５０は外部装置２００に撮像装置１００が接続または装着された状態で、外部装置２００（より具体的には充電回路２４０）から電源供給を受けることにより充電されることが可能である。もちろん、充電池１５０は専用のケーブルにより家庭用ＡＣ電源から充電されてもよい。外部Ｉ／Ｏ部１６０は外部装置２００とデータをやりとりするためのインタフェースである。
【００１８】
画像＆音声処理部１８０は撮像部１１０により取得された画像データを符号化する。たとえば、画像＆音声処理部１８０は静止画をＪＰＥＧ形式で、動画をＭＰＥＧ−４形式またはＨ．２６４／ＡＶＣ形式で圧縮符号化し、ファイル化することができる。音声入力部１２０から音声データが取得される場合、画像＆音声処理部１８０はその音声データを動画ファイルに組み込んでもよいし、別ファイルとしてもよい。また、画像＆音声処理部１８０は上記画像データおよび上記音声データに所定のエフェクト処理を施すこともできる。
【００１９】
第１記録媒体１９０は主に、撮像部１１０により撮像された画像データを記録するためのものである。第１記録媒体１９０には、着脱可能で可搬性のある、メモリカード、ＤＶＤ、ブルーレイディスク、リムーバブルＨＤＤなどが採用されてもよいし、内蔵型の、フラッシュメモリ、ＨＤＤなどが採用されてもよい。
【００２０】
制御部１７０は第２記録媒体３００が接続または装着可能な外部装置２００に、第１記録媒体１９０に記録されている画像データを送出するよう制御する。より具体的には、制御部１７０は外部装置２００に第２記録媒体３００が接続または装着された状態で、外部装置２００に撮像装置１００が接続もしくは装着される第１事象の発生に起因して、第１記録媒体１９０に記録されている画像データを第２記録媒体３００に転送するよう制御する。また、制御部１７０は外部装置２００に撮像装置１００が接続もしくは装着された状態で、外部装置２００に第２記録媒体３００が接続もしくは装着される第２事象の発生に起因して、第１記録媒体１９０に記録されている画像データを第２記録媒体３００に転送するよう制御する。
【００２１】
制御部１７０は、外部装置２００に第２記録媒体３００が接続もしくは装着されていない状態で、外部装置２００に撮像装置１００が接続もしくは装着される第３事象の発生に起因して、第１記録媒体１９０に記録されている画像データを外部装置２００に内蔵される第３記録媒体２８０に転送するよう制御してもよい。制御部１７０は第１記録媒体１９０に記録されている画像データが第２記録媒体３００または第３記録媒体２８０に転送された後、第１記録媒体１９０に記録されている画像データを消去してもよい。
【００２２】
上述した転送制御は、第１事象、第２事象または第３事象の発生に起因して自動的に実行されるものであり、ユーザ操作は必要ない。これらの転送制御により第１記録媒体１９０から第２記録媒体３００または第３記録媒体２８０に転送されるべきデータは、第１記録媒体１９０に記録されているすべての、画像データおよび音声データが原則である。例外的に、あらかじめ動画データおよび音声データのみを転送対象とし、静止画データを転送対象としないことを設定することにより、静止画データが転送されないようにすることも可能である。
【００２３】
ここまでは、第１記録媒体１９０から第２記録媒体３００へのデータの自動転送に先立ちその第２記録媒体３００の個別認証を行わない例を説明したが、以下では個別認証を行う例を説明する。
【００２４】
制御部１７０は、識別情報保持部１７１、識別情報取得部１７２、識別情報比較部１７３、転送制御部１７４およびデータ消去部１７５を含む。識別情報保持部１７１は第２記録媒体３００の識別情報を保持する。識別情報保持部１７１はハードウェア的にはＲＯＭ領域に構築されてもよい。この識別情報として、第２記録媒体３００がＤＶＤなどの光ディスクの場合、ＢＣＡ（Burst Cutting Area）に記録されている固有のＩＤを用いることができる。第２記録媒体３００がハードディスクの場合、ＩＤＥＮＴＩＦＹ  Ｄｖｉｃｅ  ｉｎｆｏｒｍａｔｉｏｎの中に記録されている固有のＩＤを用いることができる。
【００２５】
識別情報取得部１７２は、外部装置２００に撮像装置１００および第２記録媒体３００の両方が接続または装着された状態で、第２記録媒体３００の識別情報を取得する。識別情報保持部１７１に第２記録媒体３００の識別情報を登録する際、識別情報取得部１７２はユーザ操作に起因する操作部１３０からの信号に基づいて、第２記録媒体３００の識別情報を取得して、識別情報保持部１７１に登録することができる。
【００２６】
また、識別情報取得部１７２は外部装置２００に撮像装置１００が接続もしくは装着された状態で、外部装置２００に特定の第２記録媒体３００が最初に接続もしくは装着されることを契機として、その第２記録媒体３００の識別情報を取得して、識別情報保持部１７１に登録してもよい。この場合、外部装置２００の後述する第２記録媒体装着部２７０にユーザが特定の第２記録媒体３００を最初に装着する行為が、その第２記録媒体３００の識別情報を識別情報保持部１７１に登録する意思を実現する行為となる。
【００２７】
識別情報比較部１７３は、識別情報保持部１７１に保持される識別情報と、第１事象または第２事象の発生に起因して識別情報取得部１７２により取得される識別情報とを比較する。識別情報保持部１７１に複数の識別情報が登録されている場合、そのいずれかの識別情報と、識別情報取得部１７２により取得される識別情報とが一致するか否かを判定する。
【００２８】
識別情報保持部１７１に複数の識別情報が登録される場合としては、一つの撮像装置１００を家族のメンバーで共有し、各メンバーが個人専用の一つの第２記録媒体３００を所持する場合が典型例である。また、一人のユーザが二つの第２記録媒体３００を所持し、二つの第２記録媒体３００に同じ画像データを保存したい場合も想定される。二つの第２記録媒体３００を続けて第２記録媒体装着部２７０に装着することにより、両方の第２記録媒体３００に同じ画像データを保存することができる。
【００２９】
転送制御部１７４は、識別情報比較部１７３による比較の結果、識別情報保持部１７１に保持される識別情報と識別情報取得部１７２により取得される識別情報とが一致したとき第１記録媒体１９０に記録されている画像データを第２記録媒体３００に転送するよう制御し、一致しないとき第２記録媒体３００に転送しないよう制御する。転送制御部１７４は、上記識別情報が一致しないとき第１記録媒体１９０に記録されている画像データを第３記録媒体２８０に転送するよう制御することができる。なお、外部装置２００に第３記録媒体２８０が設けられない場合や、第３記録媒体２８０が設けられる場合でもユーザが第３記録媒体２８０への転送を希望しない設定の場合、転送制御部１７４は上記画像データを第３記録媒体２８０に転送しないよう制御する。
【００３０】
転送制御部１７４は、第３記録媒体２８０に第１記録媒体１９０から転送された画像データが存在する状態で、識別情報比較部１７３による比較の結果、上記識別情報が一致したとき第３記録媒体２８０に記録されている上記画像データを第２記録媒体３００に転送するよう制御し、一致しないとき第２記録媒体３００に転送しないよう制御することができる。
【００３１】
データ消去部１７５は、転送制御部１７４により第１記録媒体１９０に記録されている画像データが第２記録媒体３００または第３記録媒体２８０に転送された後、第１記録媒体１９０に記録されている画像データを消去する。この画像データの消去はユーザの確認を経たうえで実行されてもよい。なお、第１記録媒体１９０に記録されている画像データが第２記録媒体３００または第３記録媒体２８０に転送されても、第１記録媒体１９０に記録されている画像データを消去しない設定も可能である。また、第１記録媒体１９０の空き容量が所定の閾値を超えていない場合、その画像データを消去せず、超えている場合、その画像データを消去する設定も可能である。
【００３２】
図３は、実施の形態に係る外部装置２００の構成を示す。外部装置２００は、操作部２１０、表示部２２０、電源部２３０、充電回路２４０、外部Ｉ／Ｏ部２５０、接続検出部２６０、第２記録媒体装着部２７０および第３記録媒体２８０を備える。
【００３３】
操作部２１０は各種の操作ボタンを含み、ユーザからの指示を受け付ける。表示部２２０は各種のステータス情報などを表示する。
【００３４】
電源部２３０は家庭用ＡＣ電源や電池などから供給される電源電圧を整流したり、変圧したりして、外部装置２００全体（充電回路２４０を含む）に供給する。充電回路２４０は外部装置２００と撮像装置１００とが電気的に接続された状態で、撮像装置１００内の充電池１５０に電源供給する。この電源供給は上述した、第１記録媒体１９０から第２記録媒体３００または第３記録媒体２８０へのデータ転送と平行して実行することができる。
【００３５】
外部Ｉ／Ｏ部２５０は撮像装置１００とデータをやりとりするためのインタフェースである。外部装置２００内の外部Ｉ／Ｏ部２５０と撮像装置１００内の外部Ｉ／Ｏ部１６０とが接続されることにより、外部装置２００内の各モジュールが撮像装置１００内の制御部１７０により制御されることが可能となる。
【００３６】
接続検出部２６０は、外部装置２００と撮像装置１００とが接続されたことを検出すると、その旨を撮像装置１００内の制御部１７０に通知する。外部装置２００に撮像装置１００が装着されたときに押される物理的なスイッチを設け、そのスイッチが押されることにより出力される信号にもとづいて、両者の接続を検出してもよい。また、外部装置２００内の充電回路２４０が撮像装置１００内の充電池１５０に電気的に接続されたことを検出することにより、両者の接続を検出してもよいし、その他の手法で検出してもよい。
【００３７】
第２記録媒体装着部２７０は第２記録媒体３００を装着するためのスロットを含む。第２記録媒体装着部２７０は第２記録媒体３００が装着されると、その旨を撮像装置１００内の制御部１７０に通知する。第２記録媒体装着部２７０はセンサを用いて第２記録媒体３００が装着されたことを検出してもよいし、上述した物理的なスイッチと同様のスイッチを用いて検出してもよいし、コマンドのやりとりにより検出してもよいし、その他の手法で検出してもよい。
【００３８】
第３記録媒体２８０は外部装置２００に内蔵される記録媒体である。第３記録媒体２８０にはＨＤＤ、フラッシュメモリなどが採用される。外部装置２００の構成を簡素にしたい場合、第３記録媒体２８０を設けない構成も可能である。
【００３９】
以下、実施の形態に係るデータ転送システム５００の具体例を説明する。
図４は、具体例に係るデータ転送システム５００の構成を示す。本具体例では、撮像装置１００をデジタルカメラ１００ａ、外部装置２００をクレードル装置２００ａ、第２記録媒体３００をリムーバブルＨＤＤ３００ａ、第１記録媒体１９０をメモリカード、および第３記録媒体２８０を内蔵ＨＤＤとする。
【００４０】
図５は、デジタルカメラ１００ａに装着されたメモリカード内に構築されるディレクトリ／ファイル構造の一例を示す図である。デジタルカメラ１００ａの記録フォーマットとしてはＤＣＦ（Design rule for Camera Files system）が標準的であるため、図５ではＤＣＦフォーマットで記述した場合の例を示している。図５において二重線で囲まれている四角がディレクトリを示し、単線で囲まれている四角がファイルを示している（図６も同様）。
【００４１】
「ＲＯＯＴ」ディレクトリ６００の下に「ＤＣＩＭ（Digital Camera Images）」ディレクトリ６０５が配置され、「ＤＣＩＭ」ディレクトリ６０５の下に「１００ＳＡＮＹ」ディレクトリ６１０および「１０１ＳＡＮＹ」ディレクトリ６２０が配置される。「１００ＳＡＮＹ」６１０は動画ファイルを束ねるディレクトリであり、「１０１ＳＡＮＹ」ディレクトリ６２０は静止画ファイルを束ねるディレクトリである。
【００４２】
「１００ＳＡＮＹ」ディレクトリ６１０は、ＭＰＥＧ−４フォーマットにより圧縮符号化された（ファイル拡張子が．ＭＰ４）、「ＳＡＮＹ０００１．ＭＰ４」ファイル６１１、「ＳＡＮＹ０００２．ＭＰ４」ファイル６１２および「ＳＡＮＹ０００３．ＭＰ４」ファイル６１３を束ねている。「１０１ＳＡＮＹ」ディレクトリ６２０は、ＪＰＥＧフォーマットにより圧縮符号化された（ファイル拡張子が．ＪＰＧ）、「ＳＡＮＹ０００１．ＪＰＧ」ファイル６２１、「ＳＡＮＹ０００２．ＪＰＧ」ファイル６２２および「ＳＡＮＹ０００３．ＪＰＧ」ファイル６２３を束ねている。図５内において点線枠６９９で囲まれているディレクトリおよびファイルが、リムーバブルＨＤＤ３００ａへの転送対象とすることができる。すなわち、「ＤＣＩＭ」ディレクトリ６０５以下のデータをすべて転送対象とすることができる。
【００４３】
図６は、クレードル装置２００ａに装着されるリムーバブルＨＤＤ３００ａ内に構築されるディレクトリ／ファイル構造の一例を示す図である。クレードル装置２００ａの内蔵ＨＤＤ内に構築されるディレクトリ／ファイル構造も同様に記述することができる。「ＲＯＯＴ」ディレクトリ８００の下に「ＢＡＣＫＵＰ」ディレクトリ８０５が作成される。この「ＢＡＣＫＵＰ」ディレクトリ８０５の下に上記メモリカードから転送されるデータが配置されることになる。
【００４４】
「ＤＣＩＭ」ディレクトリ以下のデータ群が複数転送される場合に「ＤＣＩＭ」ディレクトリが重複しないよう、転送日付を名称とするディレクトリおよび転送時刻を名称とするディレクトリが作成される。図６では「ＢＡＣＫＵＰ」ディレクトリ８０５の下に「２００８０５２０（２００８年５月２０日を示す）」ディレクトリ８１０および「２００８０８１５（２００８年８月１５日を示す）」ディレクトリ８２０が作成される。「２００８０５２０」ディレクトリ８１０の下に「１０１５（１０時１５分を示す）」ディレクトリ８１５が作成され、「２００８０８１５」ディレクトリ８２０の下に「１９３３（１９時３３分を示す）」ディレクトリ８２５が作成される。
【００４５】
時刻を名称とするディレクトリの下に「ＤＣＩＭ」ディレクトリ以下のデータ群がコピーされる。図６では「１０１５」ディレクトリ８１５の下に図５の点線枠６９９で示した「ＤＣＩＭ」ディレクトリ６０５以下のデータ群がコピーされる。「１９３３」ディレクトリ８２５の下に点線枠７９９で示した「ＤＣＩＭ」ディレクトリ７０５以下のデータ群がコピーされる。「ＤＣＩＭ」ディレクトリ７０５の下に「１００ＳＡＮＹ」ディレクトリ７１０が作成され、「１００ＳＡＮＹ」ディレクトリ７１０は「ＳＡＮＹ０００１．ＭＰ４」ファイル７１１、「ＳＡＮＹ０００２．ＭＰ４」ファイル７１２および「ＳＡＮＹ０００３．ＭＰ４」ファイル７１３を束ねている。
【００４６】
なお、上述した日付、時刻の二階層のディレクトリ構造は一例であり、「ＤＣＩＭ」ディレクトリ以下のデータ群が転送される際に、「ＤＣＩＭ」ディレクトリの名称を「ＤＣＩＭ」から「ＤＣＩＭ、日付、時刻」に変更される設定であってもよい。たとえば、２００８年５月２０日１０時１５分に転送された「ＤＣＩＭ」ディレクトリの名称は「ＤＣＩＭ２００８０５２０１０１５」となる。
【００４７】
図７は、リムーバブルＨＤＤ３００ａから上記識別情報としてユニークなメディアＩＤを取得する処理を示すフローチャートである。ここではクレードル装置２００ａにデジタルカメラ１００ａが設置されている状態を前提とする。デジタルカメラ１００ａ内の識別情報取得部１７２は、クレードル装置２００ａのリムーバブルＨＤＤ３００ａを装着するためのスロットにリムーバブルＨＤＤ３００ａが装着されるか否かを監視する（Ｓ１０）、装着されない間（Ｓ１０のＮ）、その監視を続ける。
【００４８】
リムーバブルＨＤＤ３００ａが装着された場合（Ｓ１０のＹ）、識別情報取得部１７２は、ＡＴＡコマンドの中のＩＤＥＮＴＩＦＹ  Ｄｅｖｉｃｅ  Ｃｏｍｍａｎｄを上記スロットに装着されているリムーバブルＨＤＤ３００ａに発行する（Ｓ１１）。識別情報取得部１７２は当該コマンドに対する応答として当該リムーバブルＨＤＤ３００ａからＩＤＥＮＴＩＦＹ  Ｄｅｖｉｃｅ  Ｉｎｆｏｒｍａｔｉｏｎを取得する（Ｓ１２）。ＩＤＥＮＴＩＦＹ  Ｄｅｖｉｃｅ  Ｉｎｆｏｒｍａｔｉｏｎのワード１０〜１９には、ＡＳＣＩＩコードでシリアルナンバーを記録するフィールドがあり、識別情報取得部１７２は取得したＤｅｖｉｃｅ  Ｉｎｆｏｒｍａｔｉｏｎのワード１０〜１９からシリアルナンバーをメディアＩＤとして取得する（Ｓ１３）。
【００４９】
図８は、デジタルカメラ１００ａ内の識別情報保持部１７１にメディアＩＤを登録する処理を示すフローチャートである。ここではクレードル装置２００ａの上記スロットにリムーバブルＨＤＤ３００ａが装着されている状態を前提とする。たとえば、この登録処理はデジタルカメラ１００ａの操作部１３０からユーザ操作に起因して、自動転送用のリムーバブルＨＤＤ３００ａの登録モードが選択されたときに発動される。
【００５０】
クレードル装置２００ａの接続検出部２６０は、クレードル装置２００ａにデジタルカメラ１００ａが設置されるか否かを監視する（Ｓ２０）。設置されない間（Ｓ２０のＮ）、その監視を続ける。
【００５１】
デジタルカメラ１００ａが設置された場合（Ｓ２０のＹ）、識別情報取得部１７２は図８のフローチャートに示した処理により、上記スロットに装着されているリムーバブルＨＤＤ３００ａからそのメディアＩＤを取得する（Ｓ２１）。識別情報取得部１７２は取得したメディアＩＤを識別情報保持部１７１に登録する（Ｓ２２）。
【００５２】
図９は、デジタルカメラ１００ａのメモリカードからリムーバブルＨＤＤ３００ａまたは内蔵ＨＤＤに画像データを自動転送する処理を示すフローチャートである。クレードル装置２００ａの接続検出部２６０は、クレードル装置２００ａにデジタルカメラ１００ａが設置されるか否かを監視する（Ｓ３０）。設置されない間（Ｓ３０のＮ）、その監視を続ける。
【００５３】
デジタルカメラ１００ａが設置された場合（Ｓ３０のＹ）、デジタルカメラ１００ａ内の識別情報取得部１７２は、クレードル装置２００ａの上記スロットにリムーバブルＨＤＤ３００ａが装着されるか否かを監視する（Ｓ３１）、装着されない間（Ｓ３１のＮ）、その監視を続ける。
【００５４】
リムーバブルＨＤＤ３００ａが装着された場合（Ｓ３１のＹ）、識別情報取得部１７２はそのリムーバブルＨＤＤ３００ａからメディアＩＤを取得する（Ｓ３２）。識別情報比較部１７３は識別情報取得部１７２により取得されたメディアＩＤと、識別情報保持部１７１に登録されているメディアＩＤとを比較する（Ｓ３３）。一致する場合（Ｓ３３のＹ）、転送制御部１７４は上記メモリカードに記録されている画像データを当該リムーバブルＨＤＤ３００ａに転送するよう制御する（Ｓ３４）。上記メディアＩＤが一致しない場合（Ｓ３３のＮ）、転送制御部１７４は上記メモリカードに記録されている画像データをクレードル装置２００ａの内蔵ＨＤＤに転送するよう制御する（Ｓ３５）。
【００５５】
図１０は、クレードル装置２００ａの内蔵ＨＤＤ内の上記画像データをリムーバブルＨＤＤ３００ａに自動転送する処理を示すフローチャートである。ここではクレードル装置２００ａにデジタルカメラ１００ａが設置されている状態を前提とする。デジタルカメラ１００ａ内の識別情報取得部１７２は、クレードル装置２００ａの上記スロットにリムーバブルＨＤＤ３００ａが装着されるか否かを監視する（Ｓ４０）、装着されない間（Ｓ４０のＮ）、その監視を続ける。
【００５６】
リムーバブルＨＤＤ３００ａが装着された場合（Ｓ４０のＹ）、識別情報取得部１７２はそのリムーバブルＨＤＤ３００ａからメディアＩＤを取得する（Ｓ４１）。識別情報比較部１７３は識別情報取得部１７２により取得されたメディアＩＤと、識別情報保持部１７１に登録されているメディアＩＤとを比較する（Ｓ４２）。一致しない場合（Ｓ４２のＮ）、ステップＳ４０に遷移し、識別情報取得部１７２は別のリムーバブルＨＤＤ３００ａが装着されるか否かを監視する（Ｓ４０）。
【００５７】
上記メディアＩＤが一致する場合（Ｓ４２のＹ）、転送制御部１７４はクレードル装置２００ａの内蔵ＨＤＤに、上記メモリカードから自動転送された画像データが存在するか否か判定する（Ｓ４３）。存在する場合（Ｓ４３のＹ）、転送制御部１７４は内蔵ＨＤＤ内の当該画像データを上記スロットに装着されているリムーバブルＨＤＤ３００ａに転送するよう制御する（Ｓ４４）。上記画像データが存在しない場合（Ｓ４３のＮ）、当然のことながら転送制御部１７４はステップＳ４４の処理を実行しない。
【００５８】
以上説明したように本実施の形態によれば、外部装置２００に撮像装置１００が接続された状態でユーザにより特定の記録媒体が外部装置２００に装着されると、撮像装置１００内の記録媒体に記録されている画像データを自動的に転送することにより、後述する効果を得ることができる。また、ユーザにより特定の記録媒体が外部装置２００に装着された状態で外部装置２００に撮像装置１００が接続されると、撮像装置１００内の記録媒体に記録されている画像データを自動的に転送することによっても同様の効果を得ることができる。すなわち、撮像装置１００により撮像された画像データをユーザが希望する記録媒体に簡単に転送することができる。ユーザは外部装置２００に撮像装置１００を接続し、外部装置２００に記録媒体を装着するだけでよく、他の操作を必要としない。
【００５９】
ユーザは外部装置２００に常に同じ記録媒体を装着することにより、撮像装置１００で撮像された画像データが複数の記録媒体に分散されて記録される事態を回避することができる。また、ユーザが転送を希望する記録媒体の識別情報をあらかじめ撮像装置１００に登録しておき、画像データを転送する際に、外部装置２００に装着された記録媒体の識別情報と、登録されている識別情報との一致を条件とすることによりつぎの効果を得ることができる。すなわち、ユーザが転送を希望しない記録媒体への、画像データの転送を防止することができる。ユーザが誤って転送を希望しない記録媒体を外部装置２００に装着しても、その記録媒体へ画像データが転送されないことになる。
【００６０】
また、外部装置２００に撮像装置１００が接続されたとき、外部装置２００にユーザが転送を希望する記録媒体が装着されていない場合、外部装置２００に内蔵されている記録媒体にいったん転送することによりつぎの効果を得ることができる。すなわち、外部装置２００にユーザが転送を希望する記録媒体が装着されていない場合でも、撮像装置１００内の記録媒体に記録されている画像データを消去することができ、その記録媒体の空き容量を増大させることができる。
【００６１】
また、外部装置２００に撮像装置１００内の充電池１５０を充電するための充電回路２４０を設けることにより、ユーザが外部装置２００に撮像装置１００を接続する行為が充電と画像データの自動転送を兼ねる行為となり、ユーザによる撮像装置１００の取り扱いを効率化することができる。
【００６２】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００６３】
上記実施の形態では外部装置２００に制御部を搭載しない例を説明した（図３参照）。この点、外部装置２００に画像記録再生装置やＰＣを採用する場合、外部装置２００には制御部が搭載されている。その場合、外部装置２００に内蔵されている第３記録媒体２８０から第２記録媒体３００への自動転送を、撮像装置１００内の制御部１７０ではなく、外部装置２００に搭載されている制御部が実行することができる。この場合、外部装置２００に撮像装置１００が接続されていない状態でも当該自動転送が可能である。
【図面の簡単な説明】
【００６４】
【図１】実施の形態に係るデータ転送システムの構成を示す図である。
【図２】実施の形態に係る撮像装置の構成を示す図である。
【図３】実施の形態に係る外部装置の構成を示す図である。
【図４】具体例に係るデータ転送システムの構成を示す図である。
【図５】デジタルカメラに装着されたメモリカード内に構築されるディレクトリ／ファイル構造の一例を示す図である。
【図６】クレードル装置に装着されるリムーバブルＨＤＤ内に構築されるディレクトリ／ファイル構造の一例を示す図である。
【図７】リムーバブルＨＤＤから上記識別情報としてユニークなメディアＩＤを取得する処理を示すフローチャートである。
【図８】デジタルカメラ内の識別情報保持部にメディアＩＤを登録する処理を示すフローチャートである。
【図９】デジタルカメラのメモリカードからリムーバブルＨＤＤまたは内蔵ＨＤＤに画像データを自動転送する処理を示すフローチャートである。
【図１０】クレードル装置の内蔵ＨＤＤ内の上記画像データをリムーバブルＨＤＤに自動転送する処理を示すフローチャートである。
【符号の説明】
【００６５】
１００  撮像装置、  １００ａ  デジタルカメラ、  １１０  撮像部、  １２０  音声入力部、  １３０  操作部、  １４０  表示部、  １５０  充電池、  １６０  外部Ｉ／Ｏ部、  １７０  制御部、  １７１  識別情報保持部、  １７２  識別情報取得部、  １７３  識別情報比較部、  １７４  転送制御部、  １７５  データ消去部、  １８０  画像＆音声処理部、  １９０  第１記録媒体、  ２００  外部装置、  ２００ａ  クレードル装置、  ２１０  操作部、  ２２０  表示部、  ２３０  電源部、  ２４０  充電回路、  ２５０  外部Ｉ／Ｏ部、  ２６０  接続検出部、  ２７０  第２記録媒体装着部、  ２８０  第３記録媒体、  ３００  第２記録媒体、  ３００ａ  リムーバブルＨＤＤ、  ５００  データ転送システム。  
【図１】
2010062858.tif 000003
【図２】
2010062858.tif 000004
【図３】
2010062858.tif 000005
【図４】
2010062858.tif 000006
【図５】
2010062858.tif 000007
【図６】
2010062858.tif 000008
【図７】
2010062858.tif 000009
【図８】
2010062858.tif 000010
【図９】
2010062858.tif 000011
【図１０】
2010062858.tif 000012